(57)【要約】【課題】鉛製の帯状の板おもりの端部を加工する板おもりの端部加工具であって、特に、端面に端面から板おもりの巻き始め端部を差し込む所定形状の差込溝と折返し部とを形成して、板おもりの巻き始め端部に釣り糸に巻きつけるための折返し端部を簡単に加工できるようにした板おもりの端部加工具に関する技術である。【解決手段】板おもりの巻き始め端部を差し込む差込溝４を、所定溝幅４ｂ、所定溝深さ４ｄで形成し、前記差込溝４の差込側４ｅには、内側溝面４ｃを外方に延長して板おもりの巻き始め端部を案内する案内面５を形成し、端面２の表面３ａ側に所定厚みの折返し部６を形成したから、この端部加工具１を使用して板おもりの巻き始め端部を精度よく簡単に加工することにより、板おもりの巻き始め端部を釣り糸に被せた後、断面が真円に近い形状で板おもりを釣り糸に巻きつけることができるのである。【選択図】図２
0003152388.tif 000002
【実用新案登録請求の範囲】
【請求項１】
釣り糸に巻きつけて使用する鉛製の帯状の板おもりの巻き始め端部を折返し加工する板おもりの端部加工具であって、
板おもりの幅よりも大きな幅の端面を備え、前記端面と直交する表面側に、前記端面から板おもりの巻き始め端部を差し込む差込溝を形成し
前記差込溝は、表面から０．４ｍｍ〜０．６ｍｍの位置で表面と平行な表側溝面と表側溝面から所定溝幅あけて表側溝面と平行な内側溝面とを備え、
前記差込溝の溝深さを０．６ｍｍ〜１．０ｍｍとし、
前記差込溝の差込側には、第二溝面を外方に延長して板おもりの巻き始め端部を案内する案内面を形成し、
前記端面の表面側に前記表側溝面と表面とで形成される前記０．４ｍｍ〜０．６ｍｍの厚みの折返し部を形成したことを特徴とする板おもりの端部加工具。
【請求項２】
前記所定溝幅を、加工する板おもりの厚さよりも０．１ｍｍ〜０．２ｍｍ大きくしたことを特徴とする請求項１に記載の板おもりの端部加工具。
【請求項３】
端部加工具の形状を、前記差込溝の近傍を除いて直方体状であって、２つの分割体から形成し、
両分割体の分割面を、前記内側溝面を内方に所定深さ延長した第一分割面と、第一分割面と交差し裏面側に延びる第二分割面と、第二分割面から前記差込溝から離れる方向で前記表面と平行な第三分割面とから形成し、両分割体は第一〜第三分割面を密着させて固定することにより構成したことを特徴とする請求項１又は２に記載の板おもりの端部加工具。
【請求項４】
釣り糸に巻きつけて使用する鉛製の帯状の板おもりの巻き始め端部を折返し加工する板おもりの端部加工具であって、
板おもりの幅よりも大きな幅の第一端面と、第一端面と対向し平行で第一端面と同一幅の第二端面とを備え、
前記両端面と直交する表面側に、前記第一端面から板おもりの巻き始め端部を差し込む第一差込溝と、前記第二端面から板おもりの巻き始め端部を差し込む第二差込溝とをそれぞれ形成し、
前記第一差込溝は、表面から０．４ｍｍ〜０．６ｍｍの位置で表面と平行な第一表側溝面と第一表側溝面から第一所定溝幅あけて第一表側溝面と平行な第一内側溝面とを備え、前記第二差込溝は、表面から０．４ｍｍ〜０．６ｍｍの位置で表面と平行な第二表側溝面と第二表側溝面から第二所定溝幅あけて第二表側溝面と平行な第二内側溝面とを備え、
前記第一差込溝の第一溝深さ及び前記第二差込溝の第二溝深さをそれぞれ０．６ｍｍ〜１．０ｍｍとし、
前記第一差込溝の第一差込側には、第二内側溝面を外方に延長して板おもりの巻き始め端部を案内する第一案内面を形成し、前記第二差込溝の第二差込側には、第二内側溝面を外方に延長して板おもりの巻き始め端部を案内する第二案内面を形成し、
前記第一端面の表面側に前記第一表側溝面と表面とで形成される前記０．４ｍｍ〜０．６ｍｍの厚みの第一折返し部を形成し、前記第二端面の表面側に前記第二表側溝面と表面とで形成される前記０．４ｍｍ〜０．６ｍｍの厚みの第二折返し部を形成し、
前記第一所定溝幅及び前記第二所定溝幅を異ならせたことを特徴とする板おもりの端部加工具。
【考案の詳細な説明】
【技術分野】
【０００１】
本考案は、釣り糸に巻きつけて使用する鉛製の帯状の板おもりの端部を加工する板おもりの端部加工具に関するものであり、特に、端面に端面から板おもりの巻き始め端部を差し込む所定形状の差込溝と折返し部とを形成して、板おもりの巻き始め端部に釣り糸に巻きつけるための折返し端部を加工できる板おもりの端部加工具に関するものである。
【背景技術】
【０００２】
従来、例えば、へら鮒釣りに使用される仕掛けは、ウキの浮く位置を正確に調整することが必要であるために鉛製の帯状の板おもりを和バサミで切りながら釣り糸への巻きつけ重さを調節していた（例えば、特許文献１の段落０００５参照）。
へら鮒釣りに出かけるときには、釣り道具として、特許文献１に記載のように、へら竿、竿掛け、玉網、釣り糸（道糸）、ハリス、スイベル、針、ウキ、ウキ止めゴム、板おもり、タナ取りゴム、和バサミ、針外しなどを携帯する。
【０００３】
そして、へら鮒釣りの釣り場において、釣り人は釣り糸（道糸）に板おもりを巻きつけるのであるが、その際、板おもりの巻き始め端部を和バサミの刃部に当てて、折曲げ端部又は折返し端部を形成することが、釣り人に慣用されていた。
次に、釣り人は板おもりの巻き始め端部に形成した折曲げ端部又は折返し端部を釣り糸（道糸）に被せて、使用するウキに必要な重さよりもやや重くなるように巻きつけて、和バサミで巻き終わりを細かくカットして、ウキの浮く水面がウキのエサ落ち目盛りに位置するようにしていた。
【先行技術文献】
【特許文献】
【０００４】
【特許文献１】特開２００７−３３０１７４号公報（段落０００２、段落０００５）
【考案の概要】
【考案が解決しようとする課題】
【０００５】
従来、板おもりを釣り糸（道糸）に巻きつける際に、板おもりの巻き始め端部を折曲げ又は折返しの加工をする加工具がなく、和バサミなどで板おもりの巻き始め端部に折曲げ端部又は折返し端部を形成しなければならず、巻きつけ作業がやり難いという課題があった。
また、巻き始め端部を和バサミで加工するので、折曲げ端部又は折返し端部の長さが大きくなりがちで、巻きつけ後の断面を真円とすることが難しく、断面が楕円となったり、いびつとなり、仕掛けを上げるときに、板おもりが勢いよく回転しながら上がるために長短２本のハリスが絡みやすいという課題があった。
【０００６】
本考案は、このような従来の課題に対し、端面に端面から板おもりの巻き始め端部を差し込む所定形状の差込溝と折返し部とを形成して、板おもりの巻き始め端部に釣り糸に巻きつけるための折返し端部を加工できる板おもりの端部加工具を提供することを目的としている。
【課題を解決するための手段】
【０００７】
請求項１に係る本考案は、釣り糸に巻きつけて使用する鉛製の帯状の板おもりの巻き始め端部を折返し加工する板おもりの端部加工具であって、
板おもりの幅よりも大きな幅の端面を備え、前記端面と直交する表面側に、前記端面から板おもりの巻き始め端部を差し込む差込溝を形成し
前記差込溝は、表面から０．４ｍｍ〜０．６ｍｍの位置で表面と平行な表側溝面と表側溝面から所定溝幅あけて表側溝面と平行な内側溝面とを備え、
前記差込溝の溝深さを０．６ｍｍ〜１．０ｍｍとし、
前記差込溝の差込側には、内側溝面を外方に延長して板おもりの巻き始め端部を案内する案内面を形成し、
前記端面の表面側に前記表側溝面と表面とで形成される前記０．４ｍｍ〜０．６ｍｍの厚みの折返し部を形成した板おもりの端部加工具である。
【０００８】
請求項２に係る本考案は、請求項１に係る本考案の構成に加え、前記所定溝幅を、加工する板おもりの厚さよりも０．１ｍｍ〜０．２ｍｍ大きくした板おもりの端部加工具である。
【０００９】
請求項３に係る本考案は、請求項１又は２に係る本考案の構成に加え、端部加工具の形状を、前記差込溝の近傍を除いて直方体状であって、２つの分割体から形成し、
両分割体の分割面を、前記内側溝面を内方に所定深さ延長した第一分割面と、第一分割面と交差し裏面側に延びる第二分割面と、第二分割面から前記差込溝から離れる方向で前記表面と平行な第三分割面とから形成し、両分割体は第一〜第三分割面を密着させて固定することにより構成した板おもりの端部加工具である。
【００１０】
請求項４に係る本考案は、釣り糸に巻きつけて使用する鉛製の帯状の板おもりの巻き始め端部を折返し加工する板おもりの端部加工具であって、
板おもりの幅よりも大きな幅の第一端面と、第一端面と対向し平行で第一端面と同一幅の第二端面とを備え、
前記両端面と直交する表面側に、前記第一端面から板おもりの巻き始め端部を差し込む第一差込溝と、前記第二端面から板おもりの巻き始め端部を差し込む第二差込溝とをそれぞれ形成し、
前記第一差込溝は、表面から０．４ｍｍ〜０．６ｍｍの位置で表面と平行な第一表側溝面と第一表側溝面から第一所定溝幅あけて第一表側溝面と平行な第一内側溝面とを備え、前記第二差込溝は、表面から０．４ｍｍ〜０．６ｍｍの位置で表面と平行な第二表側溝面と第二表側溝面から第二所定溝幅あけて第二表側溝面と平行な第二内側溝面とを備え、
前記第一差込溝の第一溝深さ及び前記第二差込溝の第二溝深さをそれぞれ０．６ｍｍ〜１．０ｍｍとし、
前記第一差込溝の第一差込側には、第一内側溝面を外方に延長して板おもりの巻き始め端部を案内する第一案内面を形成し、前記第二差込溝の第二差込側には、第二内側溝面を外方に延長して板おもりの巻き始め端部を案内する第二案内面を形成し、
前記第一端面の表面側に前記第一表側溝面と表面とで形成される前記０．４ｍｍ〜０．６ｍｍの厚みの第一折返し部を形成し、前記第二端面の表面側に前記第二表側溝面と表面とで形成される前記０．４ｍｍ〜０．６ｍｍの厚みの第二折返し部を形成し、
前記第一所定溝幅及び前記第二所定溝幅を異ならせた板おもりの端部加工具である。
【考案の効果】
【００１１】
請求項１に係る本考案は、板おもりの幅よりも大きな幅の端面を備え、前記端面と直交する表面側に、前記端面から板おもりの巻き始め端部を差し込む差込溝を形成し、前記差込溝は、表面から０．４ｍｍ〜０．６ｍｍの位置で表面と平行な表側溝面と表側溝面から所定溝幅あけて表側溝面と平行な内側溝面とを備え、前記差込溝の溝深さを０．６ｍｍ〜１．０ｍｍとし、前記差込溝の差込側には、内側溝面を外方に延長して板おもりの巻き始め端部を案内する案内面を形成し、前記端面の表面側に前記表側溝面と表面とで形成される前記０．４ｍｍ〜０．６ｍｍの厚みの折返し部を形成した板おもりの端部加工具としたから、この端部加工具を使用して板おもりの巻き始め端部を加工することにより、板おもりの巻き始め端部を釣り糸に被せて板おもりを釣り糸に簡単に巻きつけることができるのである。
【００１２】
請求項２に係る本考案は、請求項１に係る本考案の効果に加え、前記所定溝幅を、加工する板おもりの厚さよりも０．１ｍｍ〜０．２ｍｍ大きくした板おもりの端部加工具であるから、端部加工具に板おもりの巻き始め端部を差し込むことが容易にできながら、板おもりの巻き始め端部に形成した折返し端部が釣り糸に被せやすい形状にできるのである。
【００１３】
請求項３に係る本考案は、請求項１又は２に係る本考案の効果に加え、２つの分割体から形成し、両分割体の分割面を、第一分割面と、第二分割面と、第三分割面とから形成し、両分割体は第一分割面〜第三分割面を密着させて固定することにより構成したから、前記差込溝の形状を精度よく簡単に加工することができるのである。
【００１４】
請求項４に係る本考案は、第一端面と、第一端面と対向した第二端面とを備え、各端面に第一差込溝と、第二差込溝とをそれぞれ形成し、前記第一差込溝の第一所定溝幅及び前記第二差込溝の第二所定溝幅を異ならせた板おもりの端部加工具としたから、厚さの異なる板おもりを使用する場合であっても、一つの板おもりの端部加工具を携帯すれば、板おもりの釣り糸への巻き始め端部の形状を崩すことなく形成できるのである。
【図面の簡単な説明】
【００１５】
【図１】本考案の第一の実施の形態に係る背面図である。
【図２】図１のＡ−Ａ線断面図である。
【図３】本考案の第一の実施の形態に係る板おもりの端部加工具を用いて板おもりの加工を示す断面図である。
【図４】本考案の第一の実施の形態に係る板おもりの端部加工具を用いて加工した板おもりを釣り糸に巻きつけを行う際の説明図である。
【図５】本考案の第二の実施の形態に係る背面図である。
【図６】図５のＢ−Ｂ線断面図である。
【図７】本考案の第一及び第二の実施の形態に係る板おもりの端部加工具を用いて加工した板おもりを使用した仕掛けの説明図である。
【考案を実施するための形態】
【００１６】
以下、本考案の実施の形態を添付した図面により詳細に説明するに当たり、まず、本考案の実施の形態に係る板おもりの端部加工具を用いて加工した板おもりに関し、その使用態様の説明を図７に示す魚釣り用の仕掛けを例にして行う。
図７において、３１はへら鮒や黒鯛などの魚釣り用の仕掛けであり、仕掛け３１は、釣り竿３２、サルカン３３、ナイロン製の釣り糸（道糸）３４、ウキ止め３５ａ、３５ｂ、ウキ３６、ウキ取付具３７、板おもり用ストッパー３８ａ、３８ｂ、板おもり３９、サルカン４０、ハリス４１ａ、４１ｂを備えている
【００１７】
次に、本考案の第一の実施の形態に係る板おもりの端部加工具を、上記図６に示す符号も参照しながら、図１及び図２に基づいて説明する。
図１は背面図、図２は図１のＡ−Ａ線断面図である。
【００１８】
図１及び図２において、１は、釣り糸（道糸）３４に巻きつけて使用する鉛製の帯状の板おもり３９の巻き始め端部を折返し加工する板おもりの端部加工具である。
板おもりの端部加工具１は、材質がポリプロピレン製であり、板おもり３９の幅よりも大きな幅の端面２を備え、前記端面２と直交する表面３ａ側に、前記端面２から板おもり３９の巻き始め端部を差し込む差込溝４を形成している。
【００１９】
板おもりの端部加工具１の端面２の幅は、５０ｍｍとしており、市販されている板おもり３９の幅は７ｍｍ、１２ｍｍ、１７ｍｍ程度であり、板おもり３９の幅よりも十分大きくしている。
前記差込溝４は、表面３ａから裏面３ｂ側に０．５ｍｍ内方の位置で表面３ａと平行な表側溝面４ａと表側溝面４ａから所定溝幅４ｂあけて表側溝面４ａと平行な内側溝面４ｃとを備えている。
前記所定溝幅４ｂは、加工する板おもり３９の板厚よりも０．１５ｍｍ大きく形成しており、この実施の形態では、加工する板おもり３９の板厚を０．２５ｍｍとしているので、所定溝幅４ｂを０．４ｍｍとしているのである。
【００２０】
そして、前記差込溝４の溝深さ４ｄを０．８ｍｍとし、前記差込溝４の差込側４ｅには、内側溝面４ｃを外方に延長して板おもり３９の巻き始め端部を案内する案内面５を形成している。
前記端面２の表面３ａ側に前記表側溝面４ａと表面３ａとで形成される前記０．５ｍｍの厚みの折返し部６を形成し、折返し部６の先端の角部にはそれぞれ半径０．２ｍｍの丸みをつけている。
【００２１】
板おもりの端部加工具１の形状は、図２に示すように、前記差込溝４及び前記案内面５の近傍を除いて直方体状であって、２つの分割体７ａ、７ｂから形成している。
両分割体７ａ、７ｂの分割面は、前記内側溝面４ｃを内方に２．２ｍｍの所定深さ延長した第一分割面８ａと、第一分割面８ａと直交し裏面３ｂ側に３．１ｍｍの距離延びる第二分割面８ｂと、第二分割面８ｂから前記差込溝４から離れる方向で前記表面２ａと平行な第三分割面８ｃとから形成している。
【００２２】
第一分割体７ａと第二分割体７ｂとは、第一分割面８ａ、第二分割面８ｂ及び第三分割面８ｃを密着させて一対のビス９ａ、９ａで固定するようにしている。
一対のビス９ａ、９ａで両分割体７ａ、７ｂを一体に固定するに当たり、第二分割体７ｂにはビス９ａの径よりも大きな孔からなる一対のビス孔９ｂ、９ｂを形成し、第一分割体７ａにはビス９ａのネジに螺合するネジ穴９ｃを形成している。
【００２３】
そして、第一分割体７ａにおける表側溝面４ａ、所定溝幅４ｂ、溝深さ４ｄ及び第一分割面８ａ〜第三分割面８ｃを設計どおり製作、加工し、第二分割体７ｂにおける第一分割面８ａ〜第三分割面８ｃを設計どおり製作、加工して、両分割体７ａ、７ｂを第一分割面８ａ〜第三分割面８ｃで密着させて一対のビス９ａ、９ａでネジ止めすることにより、差込溝４の溝幅４ｂ及び溝深さ４ｄ並びに折返し部６の寸法を精度よく形成することができるのである。
これら第一分割体７ａ及び第二分割体７ｂのこれらの製作、加工は、平面状であって直交面の製作、加工であるから、簡単に精度よく製作、加工することができるのである。
【００２４】
次に、本考案の第一の実施の形態に係る板おもりの端部加工具１を用いて、板おもり３９の巻き始め端部の折返し加工について、図３に基づいて説明する。
図３は、図２の断面図に板おもり３９の巻き始め端部を折返し加工して折返し端部３９ａを形成した状態を示した断面図である。
【００２５】
板おもり３９の端部を和バサミで長手方向に直角に切り、真直ぐとした巻き始め端部を差込溝４の差込側４ｅから差込溝４に差込み、巻き始め端部を差込溝４の溝底に当てた状態で折返し部６に沿わせて直角に２回折り曲げて、図３に示すように、釣り糸（道糸）３４への巻き始めのための折返し端部３９ａを加工するのである。
板おもり３９は、純度９９．９９９％の鉛製であるから、軟らかく簡単に塑性変形するのである。
【００２６】
そして、板おもり３９の巻き始め端部を加工して折返し端部３９ａを形成した後に、図４の説明図に示すように、板おもり３９の巻き始めのための折返し端部３９ａを釣り糸（道糸）３４に被せて指で釣り糸（道糸）３４に密着させながら巻きつけを行うのである。
板おもりの端部加工具１は、差込溝４の溝深さ４ｄを０．８ｍｍとしているから、板おもり３９の巻き始めのための折返し端部３９ａが釣り糸（道糸）３４から大きく飛び出ることがなく、板おもり３９の断面を真円に近く巻きつけることができるのである。
【００２７】
上記第一の実施の形態では、差込溝４は表面３ａから裏面３ｂ側に０．５ｍｍ内方の位置で表面３ａと平行な表側溝面４ａを形成したが、表側溝面４ａの位置は、０．４ｍｍ〜０．６ｍｍであれば、折返し部６の厚みが０．４ｍｍ〜０．６ｍｍとなり、板おもり３９の巻き始めのための折返し端部３９ａの形状として好ましい範囲である。
また、折返し部６の先端の角部にはそれぞれ半径０．２ｍｍの丸みをつけたが、折返し部６の厚みの０．３倍〜０．５倍の範囲の半径の丸みが好ましい範囲である。
【００２８】
第一の実施の形態では、０．４ｍｍの所定溝幅４ｂは加工する板おもり３９の厚さ０．２５ｍｍよりも０．１５ｍｍ大きく形成したが、所定溝幅４ｂを加工する板おもり３９の厚さよりも０．１ｍｍ〜０．２ｍｍ大きくすれば、板おもり３９の巻き始めのための折返し端部３９ａを差込溝４に差し込みやすく、かつ、板おもり３９の巻き始めのための折返し端部３９ａの形状として好ましい範囲である。
また、差込溝４の溝深さ４ｄを０．８ｍｍとしたが、０．６ｍｍ〜１．０ｍｍが好ましい範囲である。
【００２９】
第一の実施の形態では、板おもりの端部加工具１の材質をポリプロピレンとしたが、他の樹脂でもよく、アルミニウムなどの金属でもよい。
また、板おもりの端部加工具１は、両分割体７ａ、７ｂの第二分割面８ｂを第一分割面８ａと直交させたが、斜めに交差させてもよい。
【００３０】
さらに、板おもりの端部加工具１は、第一分割体７ａと第二分割体７ｂをビス９ａ、９ａで固定しているが、接着剤で両分割体７ａ、７ｂを固定してもよい。
また、分割せずに、一体で製作してもよく、その場合、押出し成形（樹脂、金属）や、樹脂射出成形（樹脂）、ダイキャスト成形（金属）などで製作することができる。
【００３１】
次に、本考案の第二の実施の形態に係る板おもりの端部加工具を、上記図７に示す符号も参照しながら、図５及び図６に基づいて説明する。
図５は背面図、図６は図５のＢ−Ｂ線断面図である。
【００３２】
以下、第一の実施の形態と同様な構成については、説明を省略ないし簡略にし、第一の実施の形態と異なる構成について詳細に説明する。
図５及び図６において、１１は、釣り糸（道糸）３４に巻きつけて使用する鉛製の帯状の板おもり３９の巻き始め端部を折返し加工する板おもりの端部加工具である。
【００３３】
板おもりの端部加工具１１は、材質がポリプロピレン製であり、板おもり３９の幅よりも大きな幅の第一端面１２ａと、第一端面１２ａと対向し第一端面１２ａと平行で第一端面１２ａと同一幅の第二端面１２ｂとを備え、前記両端面１２ａ、１２ｂと直交する表面１３ａ側に、前記第一端面１２ａから板おもり３９の巻き始め端部を差し込む第一差込溝１４と、前記第二端面１２ｂから板おもり３９の巻き始め端部を差し込む第二差込溝１５とをそれぞれ形成している。
前記第一差込溝１４は、表面１３ａから裏面１３ｂ側に０．５ｍｍ内方の位置で表面１３ａと平行な第一表側溝面１４ａと、第一表側溝面１４ａから第一所定溝幅１４ｂあけて第一表側溝面１４ａと平行な第一内側溝面１４ｃとを備えている。
【００３４】
また、前記第二差込溝１５は、表面１３ａから裏面１３ｂ側に０．５ｍｍ内方の位置で表面１３ａと平行な第二表側溝面１５ａと、第二表側溝面１５ａから第二所定溝幅１５ｂあけて第二表側溝面１５ａと平行な第二内側溝面１５ｃとを備えている。
そして、前記第一差込溝１４の第一溝深さ１４ｄ及び前記第二差込溝１５の第二溝深さ１５ｄをそれぞれ０．８ｍｍとし、前記第一差込溝１４の第一差込側１４ｅには、第一内側溝面１４ｃを外方に延長して板おもり３９の巻き始め端部を案内する第一案内面１６を形成し、前記第二差込溝１５の第二差込側１５ｅには、第二内側溝面１５ｃを外方に延長して板おもり３９の巻き始め端部を案内する第二案内面１７を形成している。
【００３５】
前記第一端面１２ａの表面１３ａ側に、前記第一表面側溝面１４ａと表面１３ａとで形成される前記０．５ｍｍの厚みの第一折返し部１７ａを形成し、前記第二端面１２ｂの表面１３ａ側に、前記第二表面側溝面１５ａと表面１３ａとで形成される前記０．５ｍｍの厚みの第二折返し部１７ｂを形成し、第一折返し部１７ａ及び第二折返し部１７ｂの先端の角部にはそれぞれ半径０．２ｍｍの丸みをつけている。
そして、前記第一差込溝１４の前記第一所定溝幅１４ｂは、加工する板おもり３９の板厚よりも０．１５ｍｍ大きく形成しており、この実施の形態では、加工する板おもり３９の板厚を０．２５ｍｍとしているので、第一所定溝幅１４ｂを０．４ｍｍとしているのである。
【００３６】
また、前記第二差込溝１５の前記第二所定溝幅１５ｂは、加工する板おもり３９の板厚よりも０．１５ｍｍ大きく形成しており、この実施の形態では、加工する板おもり３９の板厚を０．３５ｍｍとしているので、第二所定溝幅１５ｂを０．５ｍｍとしているのである。
このように、第二の実施の形態では、第一所定溝幅１４ｂと第二所定溝幅１５ｂとを異ならせて、厚さの異なる板おもり３９を使用する場合であっても、一つの板おもりの端部加工具１１を携帯すれば、板おもり３９の釣り糸（道糸）３４への巻き始め端部の形状を崩すことなく形成できるのである。
【００３７】
また、第二の実施の形態では、第一折返し部１７ａ及び第二折返し部１７ｂの厚みを同一とし、第一差込溝１４の第一溝深さ１４ｄ及び第二差込溝１５の第二溝深さ１５ｄを同一としているが、同一としたのは、板おもり３９の板厚が異なっても、板おもり３９を巻きつけ釣り糸（道糸）３４が各種太さで異ならないからである。
板おもりの端部加工具１１の形状は、図６に示すように、前記第一差込溝１４、前記第一案内面１６ａ、前記第二差込溝１５及び前記第二案内面１６ｂの近傍を除いて直方体状であって、２つの分割体１８ａ、１８ｂから形成している。
【００３８】
両分割体１８ａ、１８ｂの分割面は、前記第一内側溝面１４ｃを内方に２．２ｍｍの所定深さ延長した第一分割面１９ａと、第一分割面１９ａと直交し裏面１３ｂ側に３．１ｍｍの距離延びる第二分割面１９ｂと、第二分割面１９ｂから前記第一差込溝１４から離れ前記第二差込溝１５に近づく方向で前記表面１３ａと平行な第三分割面１９ｃと、第三分割面１９ｃと直交し表面１３ａ側に延びる第四分割面１９ｄと、第四分割面１９ｄから前記第二表側溝面１５ａに連続する第五分割面１９ｅとから形成している。
【００３９】
第一分割体１８ａと第二分割体１８ｂとは、第一分割面１９ａ、第二分割面１９ｂ、第三分割面１９ｃ、第四分割面１９ｄ及び第五分割面１９ｅを密着させて一対のビス２０ａ、２０ａで固定するようにしている。
一対のビス２０ａ、２０ａで両分割体１８ａ、１８ｂを一体に固定するに当たり、第二分割体１８ｂにはビス２０ａの径よりも大きな孔からなる一対のビス孔２０ｂ、２０ｂを形成し、第一分割体１８ａにはビス２０ａのネジに螺合するネジ穴２０ｃを形成している。
【００４０】
そして、第一分割体１８ａにおける第一表側溝面１４ａ、第一所定溝幅１４ｂ、第一溝深さ１４ｄ及び第一分割面１９ａ〜第五分割面１９ｅを設計どおり製作、加工し、第二分割体１８ｂにおける第一分割面１９ａ〜第五分割面１９ｅを設計どおり製作、加工して、両分割体１８ａ、８ｂを第一分割面１９ａ〜第五分割面１９ｅで密着させて一対のビス２０ａ、２０ａでネジ止めすることにより、第一差込溝１４の第一溝幅１４ｂ、第一溝深さ１４ｄ及び第一折返し部１７ａ並びに第二差込溝１５の第二溝幅１５ｂ、第二溝深さ１５ｄ及び第二折返し部１７ｂの寸法を精度よく形成することができるのである。
これら第一分割体１８ａ及び第二分割体１８ｂのこれらの製作、加工は、平面状であって直交面の製作、加工であるから、簡単に精度よく製作、加工をすることができるのである。
【００４１】
本考案の第二の実施の形態に係る板おもりの端部加工具１１を用いた板おもり３９の巻き始めのための折返し端部３９ａの加工及び加工後の釣り糸（道糸）３４への巻きつけについては、第一の実施の形態と同様であるから説明を省略する。
上記第二の実施の形態では、第一差込溝１４及び第二差込溝１５は、表面１３ａから裏面１３ｂ側に０．５ｍｍ内方の位置で表面１３ａと平行な第一表側溝面１４ａ及び第二表側溝面１５ａを形成したが、第一表側溝面１４ａ及び第二表側溝面１５ａの位置は、０．４ｍｍ〜０．６ｍｍであれば、第一折返し部１７ａ及び第二折返し部１７ｂの厚みが０．４ｍｍ〜０．６ｍｍとなり、板おもり３９の巻き始めのための折返し端部３９ａの形状として好ましい範囲である。
【００４２】
また、第一折返し部１７ａ及び第二折返し部１７ｂの先端の角部にはそれぞれ半径０．２ｍｍの丸みをつけたが、第一折返し部１７ａ及び第二折返し部１７ｂの厚みの０．３倍〜０．５倍の範囲の半径の丸みが好ましい範囲である。
第二の実施の形態では、０．４ｍｍの第一所定溝幅１４ｂ及び０．５ｍｍの第二所定溝幅１５ｂは加工する板おもり３９の厚さ０．２５ｍｍ及び０．３５ｍｍよりも０．１５ｍｍ大きく形成したが、第一所定溝幅１４ｂ及び第二所定溝幅１５ｂを加工する板おもり３９の厚さよりも０．１ｍｍ〜０．２ｍｍ大きくすれば、板おもり３９の巻き始めのための折返し端部３９ａを第一差込溝１４及び第二差込溝１５に差し込みやすく、かつ、板おもり３９の巻き始めのための折返し端部３９ａの形状として好ましい範囲である。
【００４３】
また、第一差込溝１４の第一溝深さ１４ｄ及び第二差込溝１５の第二溝深さ１５ｄを０．８ｍｍとしたが、０．６ｍｍ〜１．０ｍｍが好ましい範囲である。
第二の実施の形態では、板おもりの端部加工具１の材質をポリプロピレンとしたが、他の樹脂でもよく、アルミニウムなどの金属でもよい。
【００４４】
また、板おもりの端部加工具１１は、第一分割体１８ａと第二分割体１８ｂをビス２０ａ、２０ａで固定しているが、接着剤で両分割体１９ａ、９ｂを固定してもよい。
さらに、分割せずに、一体で製作してもよく、その場合、押出し成形（樹脂、金属）や、樹脂射出成形（樹脂）、ダイキャスト成形（金属）などで製作することができる。
【符号の説明】
【００４５】
１    板おもりの端部加工具
２    端面
３ａ  表面
３ｂ  裏面
４    差込溝
４ａ  表側溝面
４ｂ  溝幅
４ｃ  内側溝面
４ｄ  溝深さ
４ｅ  差込側
５    案内面
６    折返し部
７ａ  第一分割体
７ｂ  第二分割体
８ａ  第一分割面
８ｂ  第二分割面
８ｃ  第三分割面
１１    板おもりの端部加工具
１２ａ  第一端面
１２ｂ  第二端面
１３ａ  表面
１３ｂ  裏面
１４    第一差込溝
１４ａ  第一表側溝面
１４ｂ  第一所定溝幅
１４ｃ  第一内側溝面
１４ｄ  第一溝深さ
１４ｅ  第一差込側
１５    第二差込溝
１５ａ  第二表側溝面
１５ｂ  第二所定溝幅
１５ｃ  第二内側溝面
１５ｄ  第二溝深さ
１５ｅ  第二差込側
１６ａ  第一案内面
１６ｂ  第二案内面
１７ａ  第一折返し部
１７ｂ  第二折返し部
３９    板おもり
３９ａ  折返し端部
【図１】
0003152388.tif 000003
【図２】
0003152388.tif 000004
【図３】
0003152388.tif 000005
【図４】
0003152388.tif 000006
【図５】
0003152388.tif 000007
【図６】
0003152388.tif 000008
【図７】
0003152388.tif 000009